(57)【特許請求の範囲】
【請求項１】
ユーザにより指定された指定番組と同一視される番組を同一番組として、該同一番組が電子番組表に出現するパターンに基づいて、上記指定番組を繰り返し記録する際の記録スケジュールを設定するスケジュール設定手段と、
上記指定番組を一回記録するか又は繰り返し記録するかをユーザに選択させるダイアログであって、上記スケジュール設定手段が設定した記録スケジュールを示す記録スケジュール情報を含むダイアログを表示するダイアログ表示手段と、を備えており、
上記スケジュール設定手段は、予め定められた複数種類の記録スケジュールの中に上記同一番組を過不足なく記録できる記録スケジュールが存在しない場合には、上記予め定められた複数種類の記録スケジュールの中から、上記同一番組を不足なく記録できる記録スケジュールを、上記指定番組を繰り返し記録する際の記録スケジュールとして設定する、
ことを特徴とする記録装置。
【請求項２】
上記スケジュール設定手段は、上記指定番組の放送日以後に放送される同一番組に加え、上記指定番組の放送日以前に放送される同一番組が電子番組表示に出現する出現パターンに基づいて、上記指定番組を繰り返し記録する際の記録スケジュールを設定する、
ことを特徴とする請求項１に記載の記録装置。
【請求項３】
上記スケジュール設定手段は、上記電子番組表に掲載された番組のうち、上記指定番組の放送開始時刻の所定時間前から上記指定番組の放送終了時刻の所定時間後までに放送される番組であって、上記指定番組の番組名と少なくとも一部が一致する番組名を有する番組を上記指定番組と同一視する、
ことを特徴とする請求項１又は２に記載の記録装置。
【請求項４】
上記スケジュール設定手段は、（１）曜日を問わず上記同一番組を毎日記録する毎日記録、（２）日曜日を除き上記同一番組を毎日記録する月〜土記録、（３）土曜日及び日曜日を除き上記同一番組を毎日記録する月〜金記録、（４）上記指定番組の放送曜日にのみ上記同一番組を毎週記録する毎週記録の何れかを上記指定番組を繰り返し記録する際の記録スケジュールとして設定するものであり、これら４つの記録スケジュールの中に上記同一番組を過不足なく記録できる記録スケジュールが存在する場合には、当該記録スケジュールを上記指定番組を繰り返し記録する際の記録スケジュールとして設定し、これら４つの記録スケジュールの中に上記同一番組を過不足なく記録できる記録スケジュールが存在しない場合には、上記同一番組を不足なく記録できる記録スケジュールを上記指定番組を繰り返し記録する際の記録スケジュールとして設定する、
ことを特徴とする請求項１から３までの何れか１項に記載の記録装置。
【請求項５】
記録装置において番組の記録を予約する予約方法であって、
ユーザにより指定された指定番組と同一視される番組を同一番組として、該同一番組が電子番組表に出現するパターンに基づいて、上記指定番組を繰り返し記録する際の記録スケジュールを設定するスケジュール設定ステップと、
上記指定番組を一回記録するか又は繰り返し記録するかをユーザに選択させるダイアログであって、上記スケジュール設定ステップにて設定した記録スケジュールを示す記録スケジュール情報を含むダイアログを表示するダイアログ表示ステップと、を含み、
上記スケジュール設定ステップでは、予め定められた複数種類の記録スケジュールの中に上記同一番組を過不足なく記録できる記録スケジュールが存在しない場合には、上記予め定められた複数種類の記録スケジュールの中から、上記同一番組を不足なく記録できる記録スケジュールを、上記指定番組を繰り返し記録する際の記録スケジュールとして設定する、
ことを特徴とする予約方法。
【請求項６】
請求項１から４までの何れか１項に記載の記録装置を備えていることを特徴とするテレビジョン受像機。
【発明の詳細な説明】
【技術分野】
【０００１】
本発明は、番組を記録する記録装置に関する。また、そのような記録装置において番組の録画を予約する予約方法に関する。また、そのような記録装置を備えたテレビジョン受像機に関する。
【背景技術】
【０００２】
録画予約機能を備えた録画装置が広く普及している。このような録画装置においては、ユーザに録画予約を行わせるためのユーザインターフェースとして、電子番組表を利用するものが多い。このような録画装置を利用すると、電子番組表から所望の番組を選択するという操作だけで、ユーザは簡単に録画予約を行うことができる。
【０００３】
ところで、テレビ番組は、シリーズとして所定の周期で繰り返し放送されることが多く、シリーズを構成する各番組の録画予約を一括して行いたいというニーズが高い。このようなニーズに応えるための機能として、繰り返し録画機能がある。ここで、繰り返し録画とは、ユーザが指定した指定番組の録画と共に、指定番組と同じシリーズに属するシリーズ番組の録画を一括して予約する機能のことを指す。
【０００４】
このような機能を備えた録画装置としては、特許文献１〜３に記載されたものなどが代表的である。
【先行技術文献】
【特許文献】
【０００５】
【特許文献１】特開２００７−８８８９３
【特許文献２】特開２００６−１８００５７
【特許文献３】特開２００５−２４４６６１
【発明の概要】
【発明が解決しようとする課題】
【０００６】
しかしながら、特許文献１に記載の録画装置においては、多段階に亘る操作が必要になるため、繰り返し録画の予約が面倒であるという問題があった。より具体的に言うと、繰り返し録画を予約するために、（１）予約詳細設定画面を開く、（２）「シリーズ予約」を選択する、（３）シリーズ条件を設定する、といった操作が強制されるという問題があった。
【０００７】
また、特許文献２に記載の録画装置は、電子番組表から選択された指定番組のみを録画するか、指定番組と同じシリーズに属するシリーズ番組を繰り返し録画するかを選択するダイアログを表示し、後者が選択された場合に繰り返し録画を行う。したがって、特許文献２に記載の録画装置は、特許文献１に記載の録画装置と比べて、繰り返し録画の予約が簡単化された録画装置と言うことができる。しかしながら、繰り返し録画をどのようなスケジュールで実行するかは、上記のダイアログにおいて繰り返し予約を選択した後で決定される。したがって、毎週１回の録画を予約すべきところを、毎日１回の録画を予約してしまったり、毎日１回の録画を予約すべきところを、毎週１回の録画を予約してしまったりといったことが往々にして起こる。特に、特許文献２に記載の録画装置では、電子番組表に掲載されている番組のうち、指定番組よりも後に放送される番組のみを参照して録画スケジュールを決定しているため、このような誤った予約が行われてしまう可能性が高い。
【０００８】
また、特許文献３には、Ａｒｉｂ（Ａｒｉｂ  ＳＴＤ−Ｂ１０第２部  ６．２．３３）における規格化が進んでいるシリーズ識別子を参照してシリーズ番組の特定を行う技術が開示されている。しかしながら、シリーズ識別子には、そのシリーズが何曜日に放送されるものであるかを示す情報までは含まれないため、特許文献３に記載の技術を特許文献２に記載の録画装置に適用したとしても、誤った予約が行われてしまう可能性を低減することは容易でない。
【０００９】
本発明は、上記の問題に鑑みてなされたものであり、その目的は、繰り返し録画の予約を簡単に行うことができ、かつ、誤った予約を行ってしまう可能性が低い記録装置を実現することにある。
【課題を解決するための手段】
【００１０】
上記課題を解決するために、本発明に係る記録装置は、ユーザにより指定（予約指定）された指定番組と同一視される番組を同一番組として、該同一番組が電子番組表に出現するパターンに基づいて、上記指定番組を繰り返し記録する際の記録スケジュールを設定するスケジュール設定手段と、上記指定番組を一回記録するか又は繰り返し記録するかをユーザに選択させるダイアログであって、上記スケジュール設定手段が設定した記録スケジュールを示す記録スケジュール情報を含むダイアログを表示するダイアログ表示手段と、を備えていることを特徴とする。
【００１１】
上記の構成によれば、ユーザは、上記ダイアログにおいて繰り返し記録を選択するだけで、上記指定番組と同一視される同一番組の繰り返し記録の予約を行うことができる。すなわち、繰り返し記録の予約を簡単に行うことができる。しかも、上記の構成によれば、上記記録スケジュール情報が上記ダイアログに表示されるので、ユーザは、どのような記録スケジュールで繰り返し記録が行われるのかを知ったうえで、上記ダイアログにおいて繰り返し記録を選択することができる。したがって、誤った予約を行ってしまう可能性を低下させることができる。
【００１２】
本発明に係る記録装置において、上記スケジュール設定手段は、上記指定番組の放送日以後に放送される同一番組に加え、上記指定番組の放送日以前に放送される同一番組が電子番組表示に出現する出現パターンに基づいて、上記指定番組を繰り返し記録する際の記録スケジュールを設定する、ことが好ましい。
【００１３】
上記の構成によれば、上記指定番組の放送日以後に放送される同一番組が電子番組表に出現する出願パターンに基づいて、上記指定番組を繰り返し記録する際の記録スケジュールを設定する従来の構成と比べて、誤った予約を行ってしまう可能性を更に低下させることができる。
【００１４】
本発明に係る記録装置において、上記スケジュール設定手段は、上記電子番組表に掲載された番組のうち、上記指定番組の放送開始時刻の所定時間前から上記指定番組の放送終了時刻の所定時間後までに放送される番組であって、上記指定番組の番組名と少なくとも一部が一致する番組名を有する番組を上記指定番組と同一視する、ことが好ましい。
【００１５】
上記の構成によれば、野球中継の延長放送などの理由により、上記指定番組又は上記同一番組の放送時間が前後した場合でも、上記同一番組を漏れなく検出することが可能になる。したがって、誤った予約を行ってしまう可能性を更に低下させることができる。
【００１６】
本発明に係る記録装置において、上記スケジュール設定手段は、（１）曜日を問わず上記同一番組を毎日記録する毎日記録、（２）日曜日を除き上記同一番組を毎日記録する月〜土記録、（３）土曜日及び日曜日を除き上記同一番組を毎日記録する月〜金記録、（４）上記指定番組の放送曜日にのみ上記同一番組を毎週記録する毎週記録の何れかを上記指定番組を繰り返し記録する際の記録スケジュールとして設定するものであり、これら４つの記録スケジュールの中に上記同一番組を過不足なく記録できる記録スケジュールが存在する場合には、当該記録スケジュールを上記指定番組を繰り返し記録する際の記録スケジュールとして設定し、これら４つの記録スケジュールの中に上記同一番組を過不足なく記録できる記録スケジュールが存在しない場合には、上記同一番組を不足なく記録できる記録スケジュールを上記指定番組を繰り返し記録する際の記録スケジュールとして設定する、ことが好ましい。
【００１７】
上記の構成によれば、上記同一番組を漏れなく記録するための記録スケジュールを簡単に設定することができる。したがって、例えば、レコーダやテレビなど、潤沢な計算資源（容量の大きいメモリや速度の速いＣＰＵなど）を持たない記録装置においても、本発明を実現することができる。
【００１８】
上記課題を解決するために、本発明に係る予約方法は、記録装置において番組の記録を予約する予約方法であって、ユーザにより指定（予約指定）された指定番組と同一視される番組を同一番組として、該同一番組が電子番組表に出現するパターンに基づいて、上記指定番組を繰り返し記録する際の記録スケジュールを設定するスケジュール設定ステップと、上記指定番組を一回記録するか又は繰り返し記録するかをユーザに選択させるダイアログであって、上記スケジュール設定ステップにて設定した記録スケジュールを示す記録スケジュール情報を含むダイアログを表示するダイアログ表示ステップと、を含んでいることを特徴とする。
【００１９】
上記の構成によれば、ユーザは、上記ダイアログにおいて繰り返し記録を選択するだけで、上記指定番組と同一視される同一番組の繰り返し記録の予約を行うことができる。すなわち、繰り返し記録の予約を簡単に行うことができる。しかも、上記の構成によれば、上記記録スケジュール情報が上記ダイアログに表示されるので、ユーザは、どのような記録スケジュールで繰り返し記録が行われるのかを知ったうえで、上記ダイアログにおいて繰り返し記録を選択することができる。したがって、誤った予約を行ってしまう可能性を低下させることができる。
【００２０】
なお、本発明に係る記録装置は、テレビジョン受像機に内蔵することもできる。本発明に係る記録装置を内蔵したテレビジョン受像機も本発明の範疇に含まれる。
【発明の効果】
【００２１】
本発明に係る記録装置は、以上のように、ユーザにより指定された指定番組と同一視される同一番組が電子番組表に出現するパターンに基づいて、上記指定番組を繰り返し記録する際の記録スケジュールを設定するスケジュール設定手段と、上記指定番組を一回記録するか又は繰り返し記録するかをユーザに選択させるダイアログであって、上記スケジュール設定手段が設定した記録スケジュールを示す記録スケジュール情報を含むダイアログを表示するダイアログ表示手段と、を備えている。
【００２２】
また、本発明に係る予約方法は、以上のように、ユーザにより指定された指定番組と同一視される同一番組が電子番組表に出現するパターンに基づいて、上記指定番組を繰り返し記録する際の記録スケジュールを設定するスケジュール設定ステップと、上記指定番組を一回記録するか又は繰り返し記録するかをユーザに選択させるダイアログであって、上記スケジュール設定ステップにて設定した記録スケジュールを示す記録スケジュール情報を含むダイアログを表示するダイアログ表示ステップと、を含んでいる。
【００２３】
したがって、繰り返し録画の予約を簡単に行うことができ、かつ、誤った予約を行ってしまう可能性が低い記録装置を実現することができる。
【図面の簡単な説明】
【００２４】
【図１】本発明の一実施形態に係るレコーダ（記録装置）の構成を示すブロック図である。
【図２】図１に示すレコーダにおける録画予約処理の流れを示す状態遷移図である。
【図３】図２に示す状態遷移図に含まれる各状態においてディスプレイに表示される表示物を示す図である。（ａ）は、電子番組表表示状態においてディスプレイに表示される表示画面を示し、（ｂ）は、録画先選択ダイアログ表示状態においてディスプレイに表示される録画先選択ダイアログを示し、（ｃ）は、録画方法選択ダイアログ表示状態においてディスプレイに表示される録画方法選択ダイアログを示し、（ｄ）及び（ｅ）は、予約完了ダイアログ表示状態においてディスプレイに表示される予約完了ダイアログを示す。
【図４】図１に示すレコーダにおける録画スケジュール決定処理のうち、基本処理の流れを示すフローチャートである。
【図５】図１に示すレコーダにおける録画スケジュール決定処理のうち、例外処理の流れを示すフローチャートである。
【図６】図１に示すレコーダにおける録画スケジュール決定処理の動作例を示す図である。
【発明を実施するための形態】
【００２５】
本発明の一実施形態について、図面に基づいて説明すれば以下のとおりである。なお、本実施形態に係る記録装置は、映像及び音声を伴う番組を録画するレコーダとして実現されているので、以下ではこれを「レコーダ」と記載する。ただし、本発明の適用範囲は、これに限定されない。すなわち、映像のみを伴う番組を録画するもの、音声のみを伴う番組を録音するもの、あるいは、これらを備えたテレビジョン受像機等にも本発明を適用することができる。
【００２６】
〔レコーダの構成〕
本実施形態に係るレコーダ１の構成について、図１を参照して説明する。図１は、レコーダ１の構成を示したブロック図である。
【００２７】
レコーダ１は、図１に示すように、チューナ部２、録画処理部３、光ディスクドライブ４、ハードディスクドライブ５、再生処理部６、リモコン信号受信部７、ＣＰＵ１０、及び、メモリ２０を備えている。
【００２８】
チューナ部２は、地上デジタル放送、ＣＳ放送、及びＢＳ放送を受信するためのチューナである。チューナ部２が放送波から抽出した映像信号及び音声信号は、録画処理部３に供給される。また、チューナ部２が放送波から抽出した電子番組表は、メモリ２０に格納される。
【００２９】
録画処理部３は、リモコン信号受信部７が受信したリモコン信号に従って、又は、メモリ２０に格納された録画スケジュールに従って、チューナ部２により抽出された映像信号及び音声信号の記録を実行する。もう少し具体的に言うと、映像信号及び音声信号を符号化（圧縮）して、得られた符号化データを光ディスクドライブ４又はハードディスクドライブ５に装填された記録媒体に書き込む。
【００３０】
再生処理部６は、リモコン信号受信部７が受信したリモコン信号に従って、光ディスクドライブ４又はハードディスクドライブ５に記録された映像信号及び音声信号の再生処理を実行する。もう少し具体的に言うと、光ディスクドライブ４又はハードディスクドライブ５に装填された記録媒体から読み出した符号化データを復号して、得られた映像信号及び音声信号をテレビ等の外部装置（不図示）に供給する。
【００３１】
ＣＰＵ１０は、図１に示すように、電子番組表表示部１１、録画先選択ダイアログ表示部１２、録画方法選択ダイアログ表示部１３、予約完了ダイアログ表示部１４、録画スケジュール決定部１５、リモコン信号解析部１６として機能する。これらのブロックの協働により実現される録画予約処理の詳細、参照する図面を代えて後述する。
【００３２】
メモリ２０は、図１に示すように、録画スケジュール格納部２１、及び、電子番組表格納部２２を含んでいる。録画スケジュール格納部２１は、ＣＰＵ１０によって決定され、録画処理部３によって参照される録画スケジュールを格納するためにメモリ２０に設けられた領域であり、電子番組表格納部２２は、チューナ部２によって抽出され、ＣＰＵ１０によって参照される電子番組表を格納するためにメモリ２０に設けられた領域である。
【００３３】
〔予約録画処理〕
次に、レコーダ１のＣＰＵ１０（図１）によって実行される録画予約処理について、図２〜図３を参照して説明する。図２は、レコーダ１のＣＰＵ１０によって実行される録画予約処理の流れを示す状態遷移図であり、図３は、図２に示す各状態においてテレビ等のディスプレイに表示される表示物を示す図である。
【００３４】
電子番組表表示状態Ａ１は、電子番組表表示部１１（図１）がディスプレイに電子番組表を表示している状態である。電子番組表表示状態Ａ１においてディスプレイに表示される電子番組表を図３（ａ）に示す。
【００３５】
電子番組表表示状態Ａ１において、リモコン信号解析部１６（図１）は、フォーカス移動操作および決定操作を待ち受ける。ここで、フォーカス移動操作とは、電子番組表においてフォーカスされている番組を変更するための操作であり、例えば、リモコンの方向キーの押下により実現される。また、決定操作とは、電子番組表においてフォーカスされている番組を選択するための操作であり、例えば、リモコンの決定キーの押下により実現される。決定操作がなされたときにフォーカスされていた番組は、ユーザが録画対象として指定した番組であり、以下ではこれを「指定番組」と呼称する。
【００３６】
電子番組表表示状態Ａ１において決定操作がなされると、ＣＰＵ１０は、光ディスクドライブ４に光ディスク（記録媒体）が装填されているか否かを判定する。そして、光ディスクが装填されている場合には、状態を後述する録画先選択ダイアログ表示状態Ａ２に遷移させ、光ディスクが装填されていない場合には、状態を後述する録画方法選択ダイアログ表示状態Ａ３に遷移させる。
【００３７】
録画先選択ダイアログ表示状態Ａ２は、録画先選択ダイアログ表示部１２（図１）がディスプレイに録画先選択ダイアログを表示している状態である。録画先選択ダイアログ表示状態Ａ２においてディスプレイに表示される録画先選択ダイアログを図３（ｂ）に示す。
【００３８】
録画先選択ダイアログは、指定番組をどの録画先（記録媒体）に録画するかをユーザに選択させるためのダイアログである。録画先選択ダイアログには、図３（ｂ）に示すように、「どちらに録画しますか？」といったメッセージと共に、録画先としてハードディスクドライブ５を選択するためのボタン（同図において「ＨＤＤ」）と、録画先として光ディスクドライブ４を選択するためのボタン（同図において「ＢＤ」）とが含まれる。なお、図３（ｂ）に示す録画先選択ダイアログは、例えば、全画面表示された電子番組表に重畳して表示される。
【００３９】
録画先選択ダイアログ表示状態Ａ２において、リモコン信号解析部１６（図１）は、フォーカス移動操作、決定操作、及びキャンセル操作を待ち受ける。ここで、フォーカス移動操作とは、録画先選択ダイアログにおいてフォーカスするボタンを変更するための操作であり、例えば、リモコンの方向キーの押下により実現される。また、決定操作とは、フォーカスされているボタンに対応する記録媒体を録画先として選択するための操作であり、例えば、リモコンの決定キーの押下により実現される。また、キャンセル操作とは、録画先の選択を行わずに録画先選択ダイアログを閉じるための操作であり、例えば、リモコンの終了キーの押下により実現される。ＣＰＵ１０は、決定操作がなされると、状態を後述する録画方法選択ダイアログ表示状態Ａ３に遷移させ、キャンセル操作がなされると、ＣＰＵ１０は、状態を上述した電子番組表表示状態Ａ１に遷移させる。
【００４０】
電子番組表表示状態Ａ１又は録画先選択ダイアログ表示状態Ａ２から録画方法選択ダイアログ表示状態Ａ３に状態を遷移させる際に、録画スケジュール決定部１５（図１）は、指定番組を繰り返し録画する際の録画スケジュールを決定する。このように、録画方法選択ダイアログを表示する前に録画スケジュール決定処理を実行する構成は、後述する録画方法選択ダイアログを利便性の高いものにする上で重要な構成である。なお、録画スケジュール決定処理の詳細については、参照する図面を代えて後述する。
【００４１】
録画方法選択ダイアログ表示状態Ａ３は、録画方法選択ダイアログ表示部１３（図１）がディスプレイに録画方法選択ダイアログを表示している状態である。録画方法選択ダイアログ表示状態Ａ３においてディスプレイに表示される録画方法選択ダイアログを図３（ｃ）に例示する。
【００４２】
録画方法選択ダイアログは、指定番組をどの録画方法で録画するかをユーザに選択させるためのダイアログである。録画方法選択ダイアログには、図３（ｃ）に示すように、「どのように録画しますか？」といったメッセージと共に、録画方法として一回録画を選択するためのボタン（同図において「今回のみ予約」）と、録画方法として繰り返し録画を選択するためのボタン（同図において「毎回予約（毎週金）」）とが含まれる。ここで、「一回録画」とは、指定番組自体を一度だけ録画する録画態様のことを指し、「繰り返し録画」とは、指定番組自体に加え、指定番組と同一視される同一番組を、録画スケジュール決定部１５（図１）によって決定された録画スケジュールに従って繰り返し録画する録画態様のことを指す。
【００４３】
録画方法選択ダイアログにおいて注目すべきは、録画スケジュール決定部１５（図１）によって決定された録画スケジュールを示す録画スケジュール情報（請求項における「記録スケジュール情報」）が、繰り返し録画を選択するためのボタンに表示されている点である。図３（ｃ）に示した例では、「毎回予約（毎週金）」という文字列のうち「毎週金」という文字列が録画スケジュール情報に該当する。このように、録画方法選択ダイアログに録画スケジュール情報を含ませることによって、繰り返し録画を選択した場合にどのような録画スケジュールで繰り返し録画が行われるかを、ユーザに知らせることができる。すなわち、ユーザは、どのような録画スケジュールで繰り返し録画が行われるかを知ったうえで、一回録画を選択するか、繰り返し録画を選択するかの意思決定を行うことができる。なお、録画スケジュール情報の詳細については、録画スケジュール決定処理の詳細と共に、参照する図面を代えて後述する。
【００４４】
録画方法選択ダイアログ表示状態Ａ３において、リモコン信号解析部１６（図１）は、フォーカス移動操作、決定操作、及び、キャンセル操作を待ち受ける。ここで、フォーカス移動操作とは、録画方法選択ダイアログにおいてフォーカスするボタンを変更するための操作であり、例えば、リモコンの方向キーの押下により実現される。また、決定操作とは、フォーカスされているボタンに対応する録画方法を選択するための操作であり、例えば、リモコンの決定キーの押下により実現される。キャンセル操作は、録画方法の選択を行わずに画方法選択ダイアログを閉じるための操作であり、例えば、リモコンの終了キーの押下により実現される。ＣＰＵ１０は、決定操作がなされると、状態を後述する予約完了ダイアログ表示状態Ａ４に遷移させ、キャンセル操作がなされると、ＣＰＵ１０は、状態を上述した電子番組表表示状態Ａ１に遷移させる。
【００４５】
予約完了ダイアログ表示状態Ａ４は、予約完了ダイアログ表示部１４（図１）がディスプレイに予約完了ダイアログを表示している状態である。予約完了ダイアログ表示状態Ａ４においてディスプレイに表示される予約完了ダイアログを図３（ｄ）及び図３（ｅ）に示す。
【００４６】
図３（ｄ）に示す予約完了ダイアログは、録画方法選択ダイアログ表示状態Ａ３において一回録画が選択された場合に、予約完了ダイアログ表示状態Ａ４においてディスプレイに表示する予約完了ダイアログである。この予約完了ダイアログは、指定番組の一回録画が予約されたことをユーザに知らせるためのものであり、図３（ｄ）に示すように、「今回のみ予約しました」といったメッセージが含まれる。なお、この予約完了ダイアログに表示する文字列は、図示したものに限定されない。すなわち、図示した文字列を、例えば、「この番組を今回のみ予約しました。同じ番組をもう一度選ぶと、録画画質の変更など予約の変更ができます。」といった文字列に置き換えてもよい。
【００４７】
図３（ｅ）に示す予約完了ダイアログは、録画方法選択ダイアログ表示状態Ａ３において繰り返し録画が選択された場合に、予約ダイアログ完了ダイアログ表示状態Ａ４においてディスプレイに表示する予約完了ダイアログである。この予約完了ダイアログは、指定番組の繰り返し録画が予約されたことをユーザに知らせるためのものであり、図３（ｅ）に示すように、「毎回予約しました」といったメッセージが含まれる。なお、この予約完了ダイアログに表示する文字列は、図示したものに限定されない。すなわち、図示した文字列を、例えば、「この番組を毎回予約しました。同じ番組をもう一度選ぶと、録画画質の変更など予約の変更ができます。」といった文字列に置き換えてもよい。
【００４８】
なお、録画方法選択ダイアログ表示状態Ａ３から予約完了ダイアログ表示状態Ａ４に遷移する際に、重複予約の有無を判定し、重複予約がない場合に限って予約完了ダイアログ表示状態Ａ４に遷移する構成を採用してもよい。重複予約がある場合には、録画予約を再設定させる画面を表示する状態などに状態を遷移させるとよい。
【００４９】
〔録画スケジュール決定処理〕
次に、レコーダ１の録画スケジュール決定部１５によって実行される録画スケジュール決定処理について、図４〜図６を参照して説明する。
【００５０】
図４は、録画スケジュール決定処理における基本処理Ｓ１０の流れを示すフローチャートであり、図５は、録画スケジュール決定処理における例外処理Ｓ２０の流れを示すフローチャートである。
【００５１】
図４に示す基本処理Ｓ１０において、録画スケジュール決定部１５は、指定番組と同一視される同一番組が過不足なく録画されるように録画スケジュールを設定する。具体的には、以下のステップＳ１１〜Ｓ１９を実行することによって、同一番組が過不足なく録画されるように録画スケジュールを設定する。
【００５２】
すなわち、録画スケジュール決定部１５は、まず、電子番組表に掲載された番組の中から、ユーザにより指定された指定番組と同一視される同一番組を検索する（ステップＳ１１）。具体的には、録画スケジュール決定処理を実行する日の翌日から１週間分の電子番組表を電子番組表格納部２２から読み出し、読み出した電子番組表に掲載された番組の中から、以下の条件（１）〜（３）を充足する同一番組を検索する。
【００５３】
（１）放送開始時刻が指定番組の放送開始時刻の３時間前よりも後である。
【００５４】
（２）放送終了時刻が指定番組の放送終了時刻の３時間後よりも前である。
【００５５】
（３）番組名が指定番組の番組名と完全一致する。
【００５６】
なお、条件（１）（２）においては、野球中継の延長放送等により放送開始／終了時刻が前後する可能性を考慮したマージンを３時間としているが、マージンの長さはこれに限定されない。すなわち、例えば、マージンを２時間としてもよいし、マージンを１時間としてもよいし、マージンを設けなくてもよい。また、条件（３）においては、番組名が指定番組の番組名と完全一致することを条件としているが、サブタイトルが変更される可能性等を考慮して、番組名が指定番組の番組名と部分一致（例えば先頭５文字の前方一致）を条件としてもよい。この場合、ジャンルが指定番組のジャンルと一致することを条件に加えるなどしてもよい。
【００５７】
次に、録画スケジュール決定部１５は、ステップＳ１１にて検索された同一番組が電子番組表に出現するパターンに基づいて、指定番組を繰り返し記録する際の記録スケジュールを設定する。具体的には、以下の方法により記録スケジュールを設定する。
【００５８】
すなわち、まず、録画スケジュール決定部１５は、ステップＳ１１における検索結果に、月曜日から日曜日までの各曜日に放送される同一番組が漏れなく含まれるか否かを判定する（ステップＳ１２）。そして、ステップＳ１２における判定結果がＹＥＳである場合、録画スケジュール決定部１５は、繰り返し録画の録画スケジュールを「毎日予約」に設定する（ステップＳ１３）。ここで、「毎日予約」とは、毎日、指定番組の放送開始時刻から放送終了時刻までの間、指定番組と同じチャンネルで放送される番組を録画する録画スケジュールのことを指す。すなち、「毎日予約」が設定された場合には、毎週７回の録画が予約される。
【００５９】
ステップＳ１２における判定結果がＮＯである場合（同一番組の放送がない曜日が少なくとも１つある場合）、録画スケジュール決定部１５は、ステップＳ１１における検索結果に、月曜日から土曜日までの各曜日に放送される同一番組が漏れなく含まれているか否かを判定する（ステップＳ１４）。そして、ステップＳ１４における判定結果がＹＥＳである場合、録画スケジュール決定部１５は、繰り返し録画の録画スケジュールを「月〜土予約」に設定する（ステップＳ１５）。ここで、「月〜土予約」とは、日曜日を除く各曜日、指定番組の放送開始時刻から放送終了時刻までの間、指定番組と同じチャンネルで放送される番組を録画する録画スケジュールのことを指す。すなわち、「月〜土予約」が設定された場合には、毎週６回の録画が予約される。
【００６０】
ステップＳ１４における判定結果がＮＯである場合（月曜日から土曜日までの曜日のうち、同一番組の放送がない曜日が少なくとも１つある場合）、録画スケジュール決定部１５は、ステップＳ１１における検索結果に、月曜日から金曜日までの各曜日に放送される同一番組が漏れなく含まれているか否かを判定する（ステップＳ１６）。そして、ステップＳ１６における判定結果がＹＥＳである場合、録画スケジュール決定部１５は、繰り返し録画の録画スケジュールを「月〜金予約」に設定する（ステップＳ１５）。ここで、「月〜金予約」とは、日曜日及び土曜日を除く各曜日、指定番組の放送開始時刻から放送終了時刻までの間、指定番組と同じチャンネルで放送される番組を録画する録画スケジュールのことを指す。すなわち、「月〜金予約」が設定された場合には、毎週５回の録画が予約される。
【００６１】
ステップＳ１６における判定結果がＮＯである場合（月曜日から金曜日までの曜日のうち、同一番組の放送がない曜日が少なくとも１つある場合）、録画スケジュール決定部１５は、ステップＳ１１における検索結果に、指定番組の放送曜日に放送される同一番組のみが含まれているか否かを判定する（ステップＳ１８）。そして、ステップＳ１８における判定結果がＹＥＳである場合、録画スケジュール決定部１５は、繰り返し録画の録画スケジュールを「毎週予約」に設定する（ステップＳ１５）。ここで、「毎週予約」とは、指定番組と同じ曜日に、指定番組の放送開始時刻から放送終了時刻までの間、指定番組と同じチャンネルで放送される番組を録画する録画スケジュールのことを指す。すなわち、「毎週予約」が設定された場合には、毎週１回の録画が予約される。
【００６２】
なお、レコーダ１において、毎週月曜日に実行される「毎週予約」、毎週火曜日に実行される「毎週予約」、・・・、毎週日曜日に実行される「毎週予約」は、異なる録画スケジュールとして管理され、対応する録画スケジュール情報は、「毎週月」、「毎週火」、・・・、「毎週日」のようになる。例えば、図３（ｃ）に示した録画方法選択ダイアログに含まれる録画スケジュール情報「毎週金」は、毎週金曜日に実行される「毎週予約」に対応する録画スケジュール情報である。
【００６３】
ステップＳ１８における判定結果がＮＯである場合、すなわち、上述した４つの録画スケジュールの何れを用いても同一番組を過不足なく録画することが不可能な場合、録画スケジュール決定部１５は、図５に示す例外処理Ｓ２０を実行する。
【００６４】
図５に示す例外処理Ｓ２０において、録画スケジュール決定部１５は、指定番組と同一視される同一番組が不足なく録画されるように録画スケジュールを設定する。具体的には、以下のステップＳ２１〜Ｓ３２を実行することによって、同一番組が不足なく（録り溢しなく）録画されるように録画スケジュールを設定する。
【００６５】
すなわち、録画スケジュール決定部１５は、まず、ステップＳ１１における検索結果に、日曜日に放送される同一番組が含まれるか否かを判定する（ステップＳ２１）。そして、ステップＳ２１における判定結果がＹＥＳである場合、録画スケジュール決定部１５は、繰り返し録画の録画スケジュールを「毎日予約」に設定する（ステップＳ２２）。
【００６６】
ステップＳ２１における判定結果がＮＯである場合、録画スケジュール決定部１５は、ステップＳ１１における検索結果に、土曜日に放送される同一番組が含まれるか否かを判定する（ステップＳ２３）。そして、ステップＳ２３における判定結果がＹＥＳである場合、録画スケジュール決定部１５は、以下のように繰り返し録画の録画スケジュールを決定する。すなわち、指定番組の放送曜日が月曜日から土曜日までの何れかの曜日である場合（ステップＳ２４）、繰り返し録画の録画スケジュールを「月〜土予約」に設定し（ステップＳ２５）、指定番組の放送曜日が日曜日である場合（ステップＳ２４）、繰り返し録画の録画スケジュールを「毎日予約」に設定する（ステップＳ２６）。
【００６７】
ステップＳ２３における判定結果がＮＯである場合、録画スケジュール決定部１５は、ステップＳ１１における検索結果に、月曜日から金曜日までの何れかの曜日に放送される同一番組が含まれるか否かを判定する（ステップＳ２７）。そして、ステップＳ２７における判定結果がＹＥＳである場合、録画スケジュール決定部１５は、以下のようにして繰り返し録画の録画スケジュールを決定する。すなわち、指定番組の放送曜日が月曜日から金曜日までの何れかの曜日である場合（ステップＳ２８）、繰り返し録画の録画スケジュールを「月〜金予約」に設定し（ステップＳ２９）、指定番組の放送曜日が土曜日である場合（ステップＳ２８）、繰り返し録画の録画スケジュールを「月〜土予約」に設定し（ステップＳ３０）、指定番組の放送曜日が日曜日である場合（ステップＳ２８）、繰り返し録画の録画スケジュールを「毎日予約」に設定する（ステップＳ３１）。
【００６８】
最後に、ステップＳ２７に判定結果がＮＯである場合、録画スケジュール決定部１５は、繰り返し録画の録画スケジュールを「毎週予約」に設定する（ステップＳ３２）。
【００６９】
図６は、録画スケジュール決定処理の動作例を示した図である。
【００７０】
図６（ａ）は、録画スケジュール決定処理の実行日が月曜日であり、かつ、指定番組の放送曜日が月曜日である場合について、録画スケジュール決定処理の動作例を示した図である。
【００７１】
図６（ａ）に示すケース１〜４は、図４に示した基本処理Ｓ１０によって録画スケジュールが決定されるケースである。
【００７２】
ケース１では、ステップＳ１１における検索結果に、（１）月曜日から日曜日までの各曜日に放送される同一番組が漏れなく含まれている（ステップＳ１２においてＹＥＳ）。したがって、このケースでは、録画スケジュールが「毎日予約」に設定される（ステップＳ１３）。
【００７３】
ケース２では、ステップＳ１１における検索結果に、（１）月曜日から日曜日までの各曜日に放送される同一番組が漏れなく含まれておらず（ステップ１２においてＮＯ）、かつ、（２）月曜日から土曜日までの各曜日に放送される同一番組が漏れなく含まれている（ステップＳ１４においてＹＥＳ）。したがって、このケースでは、録画スケジュールが「月〜土予約」に設定される（ステップＳ１５）。
【００７４】
ケース３では、ステップＳ１１における検索結果に、（１）月曜日から日曜日までの各曜日に放送される同一番組が漏れなく含まれておらず（ステップＳ１２においてＮＯ）、（２）月曜日から土曜日までの各曜日に放送される同一番組が漏れなく含まれておらず（ステップＳ１４においてＮＯ）、かつ、（３）月曜日から金曜日までの各曜日に放送される同一番組が漏れなく含まれている（ステップＳ１６においてＹＥＳ）。したがって、このケースでは、録画スケジュールが「月〜金」に設定される（ステップＳ１７）。
【００７５】
ケース４では、ステップＳ１１における検索結果に、（１）月曜日から日曜日までの各曜日に放送される同一番組が漏れなく含まれておらず（ステップＳ１２においてＮＯ）、（２）月曜日から土曜日までの各曜日に放送される同一番組が漏れなく含まれておらず（ステップＳ１４においてＮＯ）、（３）月曜日から金曜日までの各曜日に放送される同一番組が漏れなく含まれておらず（ステップＳ１６においてＮＯ）、かつ、（４）指定番組の放送曜日である月曜日に放送される同一番組のみが含まれている（ステップＳ１８においてＹＥＳ）。したがって、このケースでは、録画スケジュールが「毎週（月）予約」に設定される（ステップＳ１９）。
【００７６】
図６（ａ）に示すケース５〜８は、図５に示した例外処理Ｓ２０によって録画スケジュールが決定されるケースである。
【００７７】
ケース５では、ステップＳ１１における検索結果に、（１）日曜日に放送される同一番組が含まれている（ステップＳ２１においてＹＥＳ）。したがって、このケースでは、録画スケジュールが「毎日予約」に設定される（ステップＳ２２）。
【００７８】
ケース６では、ステップＳ１１における検索結果に、（１）日曜日に放送される同一番組が含まれておらず（ステップＳ２１においてＮＯ）、かつ、（２）土曜日に放送される同一番組が含まれている（ステップＳ２３においてＹＥＳ）。そして、指定番組の放送曜日が月曜日なので、このケースでは、録画スケジュールが「月〜土予約」に設定される（ステップＳ２５）。
【００７９】
ケース７では、ステップＳ１１における検索結果に、（１）日曜日に放送される同一番組が含まれておらず（ステップＳ２１においてＮＯ）、（２）土曜日に放送される同一番組が含まれておらず（ステップＳ２３においてＮＯ）、かつ、（３）木曜日に放送される同一番組が含まれている（ステップＳ２７においてＹＥＳ）。そして、指定番組の放送曜日が月曜日なので、このケースでは、録画スケジュールが「月〜金予約」に設定される（ステップＳ２９）。
【００８０】
ケース８では、ステップＳ１１における検索結果に、（１）日曜日に放送される同一番組が含まれておらず（ステップＳ２１においてＮＯ）、（２）土曜日に放送される同一番組が含まれておらず（ステップＳ２３においてＮＯ）、かつ、（３）月曜日から金曜日の何れに放送される同一番組も含まれていない（ステップＳ２７においてＮＯ）。そして、指定番組の放送曜日が月曜日なので、このケースでは、録画スケジュールが「毎週（月）予約」に設定される（ステップＳ３２）。
【００８１】
図６（ｂ）は、録画スケジュール決定処理の実行日が月曜日であり、かつ、指定番組の放送曜日が土曜日である場合について、録画スケジュール決定処理の動作例を示した図である。
【００８２】
図６（ｂ）に示すケース１、２、５は、図４に示した基本処理Ｓ１０によって録画スケジュールが決定されるケースである。
【００８３】
ケース１では、ステップＳ１１における検索結果に、（１）月曜日から日曜日までの各曜日に放送される同一番組が漏れなく含まれている（ステップＳ１２においてＹＥＳ）。したがって、このケースでは、録画スケジュールが「毎日予約」に設定される（ステップＳ１３）。
【００８４】
ケース２では、ステップＳ１１における検索結果に、（１）月曜日から日曜日までの各曜日に放送される同一番組が漏れなく含まれておらず（ステップＳ１２においてＮＯ）、かつ、（２）月曜日から土曜日までの各曜日に放送される同一番組が漏れなく含まれている（ステップＳ１４においてＹＥＳ）。したがって、このケースでは、録画スケジュールが「月〜土予約」に設定される（ステップＳ１５）。
【００８５】
ケース５では、ステップＳ１１における検索結果に、（１）月曜日から日曜日までの各曜日に放送される同一番組が漏れなく含まれておらず（ステップＳ１２においてＮＯ）、（２）月曜日から土曜日までの各曜日に放送される同一番組が漏れなく含まれておらず（ステップＳ１４においてＮＯ）、（３）月曜日から金曜日までの各曜日に放送される同一番組が漏れなく含まれておらず（ステップＳ１６においてＮＯ）、かつ、（４）指定番組の放送曜日である土曜日に放送される同一番組のみが含まれている（ステップＳ１８においてＹＥＳ）。したがって、このケースでは、録画スケジュールが「毎週（土）予約」に設定される（ステップＳ１９）。
【００８６】
図６（ｂ）に示すケース３、４は、図５に示した例外処理Ｓ２０によって録画スケジュールが決定されるケースである。
【００８７】
ケース３では、ステップＳ１１における検索結果に、（１）日曜日に放送される同一番組が含まれている（ステップＳ２１においてＹＥＳ）。したがって、このケースでは、録画スケジュールが「毎日予約」に設定される（ステップＳ２２）。
【００８８】
ケース４では、ステップＳ１１における検索結果に、（１）日曜日に放送される同一番組が含まれておらず（ステップＳ２１においてＮＯ）、かつ、（２）土曜日に放送される同一番組が含まれている（ステップＳ２３においてＹＥＳ）。そして、指定番組の放送曜日が土曜日なので、このケースでは、録画スケジュールが「月〜土予約」に設定される（ステップＳ２５）。
【００８９】
図６（ｃ）は、録画スケジュール決定処理の実行日が月曜日であり、かつ、指定番組の放送曜日が日曜日である場合について、録画スケジュール決定処理の動作例を示した図である。
【００９０】
図６（ｃ）に示すケース１、４は、図４に示した基本処理Ｓ１０によって録画スケジュールが決定されるケースである。
【００９１】
ケース１では、ステップＳ１１における検索結果に、（１）月曜日から日曜日までの各曜日に放送される同一番組が漏れなく含まれている（ステップＳ１２においてＹＥＳ）。したがって、このケースでは、録画スケジュールが「毎日予約」に設定される（ステップＳ１３）。
【００９２】
ケース４では、ステップＳ１１における検索結果に、（１）月曜日から日曜日までの各曜日に放送される同一番組が漏れなく含まれておらず（ステップＳ１２においてＮＯ）、（２）月曜日から土曜日までの各曜日に放送される同一番組が漏れなく含まれておらず（ステップＳ１４においてＮＯ）、（３）月曜日から金曜日までの各曜日に放送される同一番組が漏れなく含まれておらず（ステップＳ１６においてＮＯ）、かつ、（４）指定番組の放送曜日である日曜日に放送される同一番組のみが含まれている（ステップＳ１８においてＹＥＳ）。したがって、このケースでは、録画スケジュールが「毎週（日）予約」に設定される（ステップＳ１９）。
【００９３】
図６（ｃ）に示すケース２、３は、図５に示した例外処理Ｓ２０によって録画スケジュールが決定されるケースである。
【００９４】
ケース２〜３では、ステップＳ１１における検索結果に、（１）日曜日に放送される同一番組が含まれている（ステップＳ２１においてＹＥＳ）。したがって、このケースでは、録画スケジュールが「毎日予約」に設定される（ステップＳ２２）。
【００９５】
〔録画スケジュール決定処理の変形例〕
なお、上述した録画スケジュール決定処理は、適用可能な録画スケジュール決定処理の一例を示すものに過ぎず、各種変形が可能である。例えば、以下のような録画スケジュール決定処理を適用することもできる。
【００９６】
ステップ１：電子番組表に掲載された番組の中から、ユーザにより指定された指定番組と同一視される同一番組を検索する。
【００９７】
ステップ２：ステップ１にて検索された同一番組が漏れなく含まれる録画スケジュールの各々について、正しく同一番組が録画される率（ヒット率）を算出する。例えば、金曜日と土曜日とに放送される同一番組が存在する場合、「毎日録画」のヒット率は２／７＝２８．５％となり、「月〜土予約」のヒット率は２／６＝３３．３％となる。
【００９８】
ステップ３：ステップ１にて検索された同一番組が漏れなく含まれる録画スケジュールのうちヒット率が最も高い録画スケジュールを、繰り返し録画のための録画スケジュールとして設定する。
【００９９】
これにより、ステップ１にて検索された同一番組を漏れなく録画でき、かつ、無駄な録画を最小限に抑えた録画スケジュールで繰り返し録画を行うことができる。また、この方法であれば、録画スケジュールの候補として、「火〜金予約」といった変則的な録画スケジュールを加えることも容易である。
【０１００】
〔プログラム及び記録媒体〕
本実施形態に係るレコーダ１の各機能は、ハードウェアロジックによって実現してもよいし、次のようにＣＰＵを用いてソフトウェアによって実現してもよい。
【０１０１】
すなわち、レコーダ１は、各機能を実現する制御プログラムの命令を実行するＣＰＵ（ｃｅｎｔｒａｌ  ｐｒｏｃｅｓｓｉｎｇ  ｕｎｉｔ）、上記プログラムを格納したＲＯＭ（ｒｅａｄ  ｏｎｌｙ  ｍｅｍｏｒｙ）、上記プログラムを展開するＲＡＭ（ｒａｎｄｏｍ  ａｃｃｅｓｓ  ｍｅｍｏｒｙ）、上記プログラムおよび各種データを格納するメモリ等の記憶装置（記録媒体）などを備えている。そして、本発明の目的は、上述した機能を実現するソフトウェアであるプログラムのプログラムコード（実行形式プログラム、中間コードプログラム、ソースプログラム）をコンピュータで読み取り可能に記録した記録媒体を、レコーダ１に供給し、そのコンピュータ（またはＣＰＵやＭＰＵ）が記録媒体に記録されているプログラムコードを読み出して実行することによっても、達成可能である。
【０１０２】
上記記録媒体としては、例えば、磁気テープやカセットテープ等のテープ系、フロッピー（登録商標）ディスク／ハードディスク等の磁気ディスクやＣＤ−ＲＯＭ／ＣＤ−Ｒ／ＭＯ／ＭＤ／ＢＤ／ＤＶＤ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０３】
また、レコーダ１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０４】
〔付記事項〕
本発明は上述した実施形態に限定変更が可能である。すなわち、請求項に示した範囲で適宜変更した技術的されるものではなく、請求項に示した範囲で種々の手段を組み合わせて得られる実施形態についても本発明の技術的範囲に含まれる。
【産業上の利用可能性】
【０１０５】
本発明は、映像及び音声を伴う番組を録画及び録音するレコーダに好適に利用することができる。ただし、本発明の利用範囲はこれに限定されず、映像のみを伴う番組を録画する録画装置、音声のみを伴う番組を録音する録音装置、あるいは、これらを備えたテレビジョン受像機などにも適用することが可能である。
【符号の説明】
【０１０６】
１          レコーダ
２          チューナ部
３          録画処理部
４          光ディスクドライブ
５          ハードディスクドライブ
６          再生処理部
７          リモコン信号受信部
１０          ＣＰＵ
１１          電子番組表表示部
１２          録画先選択ダイアログ表示部
１３          録画方法選択ダイアログ表示部（ダイアログ表示手段）
１４          予約完了ダイアログ表示部
１５          録画スケジュール決定部（スケジュール設定手段）
１６          リモコン信号解析部
２０          メモリ
２１          録画スケジュール格納部
２２          電子番組表格納部
【図１】
0005806500.tif 000002
【図２】
0005806500.tif 000003
【図３】
0005806500.tif 000004
【図４】
0005806500.tif 000005
【図５】
0005806500.tif 000006
【図６】
0005806500.tif 000007